(57)【要約】【課題】  ルアーフィッシングに使用される回転体を備えたルアーの回転体によって生じるルアー全体の激しい振動を軽減することができるルアー補助具及び該ルアー補助具を用いた集魚装置を提供する。【解決手段】ルアーと該ルアーに揺動・着脱可能に連結されるルアー補助具からなり、当該ルアー補助具はワイヤと該ワイヤに対して回転可能に軸止される回転体とを備え、ワイヤの一端側にルアーと連結するための連結部を設けると共に他端側にラインを結び付けるための締結部を設け、回転体がワイヤの連結部と締結部の間に位置付けられると共に泳動状態において進行方向に対してルアーの前方側に位置付けられ、回転体によって生じる振動がルアーとルアー補助具との間の揺動によって軽減される集魚装置。【選択図】  図１
2011217682.tif 000002
【特許請求の範囲】
【請求項１】
ルアーに対して着脱可能に連結されるルアー補助具であって、ワイヤと該ワイヤに対して回転可能に軸止される回転体とを備えており、ワイヤの一端にルアーと連結するための連結部が設けられていると共に他端にラインを結び付けるための締結部が設けられており、回転体がワイヤの連結部と締結部の間に位置付けられていることを特徴とするルアー補助具。
【請求項２】
ルアー補助具の連結部は、ワイヤの一端側をＵ字状に折り曲げ、ワイヤのＵ字状の部分よりも先端側に位置する部分によってフックを形成し、ワイヤのＵ字状の部分よりも元端側に位置する部分にフックを掛け止めることによって環状に形成されている請求項１に記載のルアー補助具。
【請求項３】
ワイヤに固定されたストッパーによって回転体の軸線方向に対する移動が規制されており、回転体がワイヤの締結部側に位置付けられている請求項１又は２に記載のルアー補助具。
【請求項４】
ルアーと、ルアーに対して着脱可能に連結されるルアー補助具とからなる集魚装置であって、ルアー補助具がワイヤと該ワイヤに対して回転可能に軸止される回転体とを備えており、ワイヤの一端側にルアーと連結するための連結部が設けられていると共に他端側にラインを結び付けるための締結部が設けられており、回転体がワイヤの連結部と締結部の間に位置付けられると共に泳動状態において進行方向に対してルアーの前方側に位置付けられることを特徴とする集魚装置。
【請求項５】
ルアー補助具の連結部がワイヤの一端側をＵ字状に折り曲げ、ワイヤのＵ字状の部分よりも先端側に位置する部分によってフックを形成し、ワイヤのＵ字状の部分よりも元端側に位置する部分にフックを掛け止めることによって環状に形成されている請求項４に記載の集魚装置。
【請求項６】
ルアー補助具の回転体がワイヤに固定されたストッパーによってワイヤの締結部側に位置付けられている請求項４又は５に記載の集魚装置。
【発明の詳細な説明】
【技術分野】
【０００１】
本発明は、ルアー補助具及び該ルアー補助具を用いた集魚装置に関するものである。
【背景技術】
【０００２】
周知のとおり、ルアーフィッシングにおいて使用されるルアーには、ブラックバスなどの対象魚に捕食動作を促すための様々な工夫が凝らされており、そのような工夫が凝らされたルアーの一つとして回転体（プロペラ）を取り付けたものがある。
【０００３】
ルアーに回転体を取り付けることにより、ルアーが泳動した際に水流抵抗を受けた回転体が回転し、回転体の回転に伴って発生した振動や水流によってルアー全体が激しく揺動して対象魚に対して捕食動作を促す要因となる。
【０００４】
回転体を備えたルアーとしては、例えば、後出特許文献１には、道糸に繋留される軸杆と、該軸杆の一端に固設された重錘部と、該軸杆の他端部に設けられたストッパー部と、前記重錘部とストッパー部との間で、前記軸杆に回転可能に遊装された回転具とからなる釣具が開示されている。
【０００５】
また、後出特許文献２には、小魚を模した本体と、この本体の下面に、本体の長さ方向にスライド可能に取り付けられた二本針とからなるルアーであって、本体の頭部に棒を固着し、この棒に回転する羽根を取り付けたルアーが開示されている。
【先行技術文献】
【特許文献】
【０００６】
【特許文献１】実開昭５１−３０７９１号公報
【特許文献２】特開平９−９８６９１号公報
【発明の概要】
【発明が解決しようとする課題】
【０００７】
ところが、回転体を備えたルアーは、前記のとおり回転体の回転に伴って発生した振動や水流によってルアー全体を激しく揺動させて対象魚に捕食動作を促すものであるが、対象魚の警戒心が強い場合には、ルアーの激しい揺動が対象魚の警戒心を増大させる原因になることがあった。
【０００８】
なお、特許文献１に開示された釣具においては、重錘部が軸止された軸杼に対して回転翼が回転可能に遊装されているため、回転翼の回転による振動が軸杼を介して重錘部へ伝わり、釣具全体が激しく揺動し、また、特許文献２に開示された疑似餌においても、本体に固着された棒に対して羽根が回転可能に軸止されているため、羽根の回転による振動が棒を介して本体に伝わり、疑似餌全体が激しく揺動するため、これらの公報に開示されたルアーでは、ルアーの泳動時の揺動が大きくなってしまう。
【０００９】
そこで、本発明者は、回転体によって生じるルアー全体の振動を軽減することができる集魚装置を開発することを技術的課題として、研究開発を行った結果、ルアーと、ルアーに対して揺動するように着脱可能に連結されるルアー補助具とからなる集魚装置において、ルアー補助具にワイヤと該ワイヤに対して回転可能に軸止される回転体とを備え、ワイヤの一端側にルアーと連結するための連結部を設けると共に他端側にラインを結び付けるための締結部を設け、回転体がワイヤの連結部と締結部の間に位置付けられると共に泳動状態において進行方向に対してルアーの前方側に位置付けられるようにすれば、ルアー補助具の回転体によって生じる振動がルアーとルアー補助具との間の揺動によって軽減されてルアーに伝わると共に、ルアー補助具の回転体によって生じる水流のみがルアーに大きく影響を与え、適度に振動する集魚装置が得られるという刮目すべき知見を得、前記技術的課題を達成したものである。
【００１０】
前記技術的課題は、次の通りの本発明によって解決できる。
【００１１】
すなわち、本発明に係るルアー補助具は、ルアーに対して揺動するように着脱可能に連結されるルアー補助具であって、ワイヤと該ワイヤに対して回転可能に軸止される回転体とを備えており、ワイヤの一端にルアーと連結するための連結部が設けられていると共に他端にラインを結び付けるための締結部が設けられており、回転体がワイヤの連結部と締結部の間に位置付けられているものである。
【００１２】
また、本発明は、前記ルアー補助具において、ワイヤの一端側をＵ字状に折り曲げ、ワイヤのＵ字状の部分よりも先端側に位置する部分によってフックを形成し、ワイヤのＵ字状の部分よりも元端側に位置する部分にフックを掛け止めることによって環状に形成されているものである。
【００１３】
また、本発明は、前記いずれかのルアー補助具において、ワイヤに固定されたストッパーによって回転体の軸線方向に対する移動が規制されており、回転体がワイヤの締結部側に位置付けられているものである。
【００１４】
さらに、本発明に係る集魚装置は、ルアーと、ルアーに対して揺動するように着脱可能に連結されるルアー補助具とからなる集魚装置であって、ルアー補助具がワイヤと該ワイヤに対して回転可能に軸止される回転体とを備えており、ワイヤの一端側にルアーと連結するための連結部が設けられていると共に他端側にラインを結び付けるための締結部が設けられており、回転体がワイヤの連結部と締結部の間に位置付けられると共に泳動状態において進行方向に対してルアーの前方側に位置付けられるものである。
【００１５】
また、本発明は、前記集魚装置において、ルアー補助具の連結部が、ワイヤの一端側をＵ字状に折り曲げ、ワイヤのＵ字状の部分よりも先端側に位置する部分によってフックを形成し、ワイヤのＵ字状の部分よりも元端側に位置する部分にフックを掛け止めることによって環状に形成されているものである。
【００１６】
また、本発明は、前記いずれかの集魚装置において、ルアー補助具の回転体がワイヤに固定されたストッパーによってワイヤの締結部側に位置付けられているものである。
【発明の効果】
【００１７】
本発明によれば、ルアー補助具に回転体を設けると共に、ルアー補助具とルアーを揺動するように着脱可能に連結したので、ルアー補助具の回転体によって生じる振動がルアーとルアー補助具との間の揺動によって軽減されてルアーに伝わると共に、ルアー補助具の回転体によって生じる水流のみがルアーに大きく影響を与え、集魚装置全体が適度に揺動し、警戒心の強い対象魚に対して捕食動作を促すことができる。また、ルアー補助具とルアーは着脱可能であるため、刻一刻と変化する釣り場の状況に応じてルアー補助具を迅速に取り外すことができ、釣り場の状況に対応し易い。
【００１８】
従って、本発明の産業上利用性は非常に高いといえる。
【図面の簡単な説明】
【００１９】
【図１】実施の形態１の集魚装置を示した斜視図である。
【図２】図１に示す集魚装置のルアー補助具を示した斜視図である。
【図３】図１に示す集魚装置の泳動状態を示した側面図である。
【図４】図１に示す集魚装置の泳動状態を示した平面図である。
【発明を実施するための形態】
【００２０】
以下、本発明の実施の形態を説明する。
【００２１】
実施の形態１．
【００２２】
本実施の形態に係る集魚装置１は、図１に示すように、ルアー２と、ルアー２に対して着脱可能に連結されるルアー補助具３とからなっている。
【００２３】
ルアー２は、環状の連結部４と、連結部４からＪ字状に伸びるフック５と、フック５の連結部４側に固定される錘６とから構成されている。なお、フック５には、必要に応じて軟質ワーム７が取り付けられる。
【００２４】
ルアー補助具３は、ワイヤからなる軸部８と、軸部８に対して回転可能に軸止される回転体９と、軸部８に対して固定される球体１０（ストッパー）とによって構成されている。
【００２５】
軸部８となるワイヤは、一端側を折り曲げることによってルアー２の連結部４に連結される連結部１１が形成されており、他端側を折り曲げることによってラインを結び付けるための締結部１２が形成されている。連結部１１は、図２に示すように、ワイヤの一端側をＵ字状に折り曲げると共に先端に掛止部１３を形成し、ワイヤのＵ字状に折り曲げられた部分よりも先端側に位置する掛止部１３をワイヤのＵ字状に折り曲げられた部分よりも元端側に掛け止めることによって環状に形成されている。また、締結部１２は、ワイヤの他端側を円環状に折り曲げて形成されている。なお、連結部１１によって形成される開孔１４の向きと締結部１２によって形成される開孔１５の向きとは、直行するように位置付けられている。
【００２６】
回転体９は、ワイヤが通される軸心部１６と、軸心部１６を中心として点対称に位置付けられる一対の羽根１７，１７によって構成されており、一対の羽根１７，１７は、軸心部１６に対して僅かに傾斜して伸びている。なお、回転体９は、光を反射する部材によって形成されている。
【００２７】
球体１０は、ワイヤに対して固定されており、回転体９がワイヤの軸線方向へ移動することを規制する役割を果たしている。
【００２８】
次に、本実施の形態に係る集魚装置の使用方法を説明する。
【００２９】
先ず、フック５に軟質ワーム７を差し込んでルアー２を形成する。続いて、ルアー補助具３の連結部１１に設けられた掛止部１３を外し、その先端をルアー２に設けられた連結部４の開孔に差し込むようにして両連結部４，１１を鎖状に連結することによって集魚装置を形成する。そして、ルアー補助具３における締結部１２に釣竿に固定されたリールから伸びるライン１８を結び付けた後、湖などのポイントに向けて集魚装置１を投げ込む。
【００３０】
ポイントに投げ込まれた集魚装置１は、自重によって湖底に向かって落下する。次に、釣人が釣竿やリールによってライン１８を操作することによって集魚装置１を手繰り寄せると、図３に示すように、集魚装置１は泳動姿勢を保持して泳動する。泳動姿勢を保持した集魚装置１は、ライン１８が締結されたルアー補助具３の締結部１２を先頭に位置付けてルアー２が後方へ伸びた状態となり、この時、ルアー補助具３の連結部１１の開孔１４は上方を向いているため、連結部１１に連結されたルアー２が左右方向へ揺動し易くなっている。
【００３１】
そして、泳動姿勢を保持した集魚装置１は、泳動に伴って発生する水流抵抗によって回転体９を回転させ、これに伴ってルアー補助具３は上下左右に激しく振動する。しかし、ルアー補助具３の大きな振動は、ルアー補助具３とルアー２の鎖状に連結された両連結部４，１１における揺動によって緩衝されてルアー２に対して僅かな振動しか伝わらない。
【００３２】
詳述すれば、図４に示すように、回転体９の回転に伴う振動によってルアー補助具３が進行方向に対して左右に揺動した際に、ルアー補助具とルアー２との連結部４，１１においてルアー２がルアー補助具３に対して屈曲するため、ルアー２は進行方向を殆ど変更することなく泳動し続ける。これにより、集魚装置１全体として見ると、泳動姿勢や進行方向が大きく変わらず、対象魚を必要以上に刺激して警戒心を与えるような大きな動作が生じ難くなる。なお、回転体９の回転に伴って生じる水流は、回転体９の後方に位置付けられるルアー２に伝わり、ルアー２を僅かに揺動させる効果が生じる。
【００３３】
なお、本実施の形態に係るルアー補助具３は、ルアー２と着脱可能であるため、刻一刻と変化する釣り場の状況に併せてルアーから容易に取り外すことができる。
【００３４】
本実施の形態においては、ルアー２としてフック５に軟質ワーム７を取り付けたものを使用したが、ルアーはプラグルアーなどを使用してもよい。また、本実施の形態におけるルアー２の錘６を外して環状の連結部４からフックをのばし該フックに軟質ワームを取付けてもよい。
【符号の説明】
【００３５】
１  集魚装置
２  ルアー
３  ルアー補助具
４  連結部
５  フック
６  錘
７  軟質ワーム
８  軸部
９  回転体
１０  球体
１１  連結部
１２  締結部
１３  掛止部
１４  開孔
１５  開孔
１６  軸心部
１７  羽根
１８  ライン
【図１】
2011217682.tif 000003
【図２】
2011217682.tif 000004
【図３】
2011217682.tif 000005
【図４】
2011217682.tif 000006